(57)【要約】【課題】乗客が踏段の側縁部上に乗り込みスカートガードに接近した場合に、効果的な注意喚起を行うことができる乗客コンベアの安全装置を提供する。【解決手段】乗客コンベアの安全装置において、乗客コンベア本体内で無端状に連結されて循環駆動される複数の踏段と、前記踏段の左右両側に沿って、前記乗客コンベア本体に設けられたスカートガード５と、前記踏段の踏面を形成する踏板２ａの、前記スカートガード５近傍の側縁に、平常時に前記踏面より上方に突出した突出位置に配置され、かつ、上下動可能に設けられた踏板側縁部９と、前記踏板側縁部９が前記突出位置より下方に移動したことを検出して検出信号を出力する検出手段６と、前記検出信号を受けて、前記踏段上の乗客に対して注意を喚起する注意喚起手段７、８と、を備える。【選択図】図３
2012144305.tif 000002
【特許請求の範囲】
【請求項１】
乗客コンベア本体内で無端状に連結されて循環駆動される複数の踏段と、
前記踏段の左右両側に沿って、前記乗客コンベア本体に設けられたスカートガードと、
前記踏段の踏面を形成する踏板の、前記スカートガード近傍の側縁に、平常時に前記踏面より上方に突出した突出位置に配置され、かつ、上下動可能に設けられた踏板側縁部と、
前記踏板側縁部が前記突出位置より下方に移動したことを検出して検出信号を出力する検出手段と、
前記検出信号を受けて、前記踏段上の乗客に対して注意を喚起する注意喚起手段と、を備えたことを特徴とする乗客コンベアの安全装置。
【請求項２】
前記検出手段は、前記スカートガードに設けられたセンサを有し、
前記センサは、前記センサの検出範囲を通過する前記踏段の前記踏板側縁部が前記突出位置より下方に移動したことを検出するものであることを特徴とする請求項１に記載の乗客コンベアの安全装置。
【請求項３】
前記踏板側縁部の下面に、下方に突出して設けられた突起体を備え、
前記センサは、前記突起体を検出することにより前記踏板側縁部が前記突出位置より下方に移動したことを検出することを特徴とする請求項２に記載の乗客コンベアの安全装置。
【請求項４】
前記突起体は、その表面に特定波長の光を反射する塗料が塗布され、
前記センサは、前記特定波長の光を検出する光学式センサであることを特徴とする請求項３に記載の乗客コンベアの安全装置。
【請求項５】
前記注意喚起手段は、前記スカートガードに設けられ、音声を発することにより前記踏段上の前記乗客に対して注意を喚起するスピーカを備えたことを特徴とする請求項２から請求項４のいずれかに記載の乗客コンベアの安全装置。
【請求項６】
前記注意喚起手段は、前記スカートガードに設けられ、点灯することにより前記踏段上の前記乗客に対して注意を喚起する警告ランプを備えたことを特徴とする請求項２から請求項５のいずれかに記載の乗客コンベアの安全装置。
【発明の詳細な説明】
【技術分野】
【０００１】
この発明は、乗客コンベアの安全装置に関するものである。
【背景技術】
【０００２】
従来における乗客コンベアの安全装置においては、スカートガードに接近する乗客に注意喚起を行うことを目的として、踏板の側縁部を上下運動させるものが知られている（例えば、特許文献１参照）。この特許文献１に記載されたものでは、踏段の側縁部が、踏段の踏面と略面一な位置と、踏面から上方に突出した位置との間で可動するようになっている。また、この可動する側縁部側と乗客コンベア本体側との双方には、側縁部を上下運動させるための永久磁石が取り付けられている。そして、乗客コンベアが運転されて側縁部側の磁石が本体側の磁石の近傍を通過する毎に、これらの磁石の作用によって踏段の側縁部が上下運動する。
【先行技術文献】
【特許文献】
【０００３】
【特許文献１】特開２００９−２４９０９６号公報
【発明の概要】
【発明が解決しようとする課題】
【０００４】
このように、特許文献１に示された従来における乗客コンベアの安全装置は、乗客コンベアが運転されると、踏段の側縁部が踏面から突出するように上下に運動させることにより、スカートガードに接近する乗客に対して注意を喚起しようとするものである。
【０００５】
しかしながら、このような従来の乗客コンベアの安全装置においては、乗客が可動部である踏段の側縁部を踏んでしまった状態で乗り込んでいた場合には、注意を喚起することができないという課題がある。また、単に踏段の側縁部を上下に動かすだけでは、乗客によってはそれが注意喚起であると認識されない可能性があるという課題もある。
【０００６】
この発明は、このような課題を解決するためになされたもので、乗客が踏段の側縁部上に乗り込みスカートガードに接近した場合に、効果的な注意喚起を行うことができる乗客コンベアの安全装置を得るものである。
【課題を解決するための手段】
【０００７】
この発明に係る乗客コンベアの安全装置においては、乗客コンベア本体内で無端状に連結されて循環駆動される複数の踏段と、前記踏段の左右両側に沿って、前記乗客コンベア本体に設けられたスカートガードと、前記踏段の踏面を形成する踏板の、前記スカートガード近傍の側縁に、平常時に前記踏面より上方に突出した突出位置に配置され、かつ、上下動可能に設けられた踏板側縁部と、前記踏板側縁部が前記突出位置より下方に移動したことを検出して検出信号を出力する検出手段と、前記検出信号を受けて、前記踏段上の乗客に対して注意を喚起する注意喚起手段と、を備えた構成とする。
【発明の効果】
【０００８】
この発明に係る乗客コンベアの安全装置においては、乗客が踏段の側縁部上に乗り込みスカートガードに接近した場合に、効果的な注意喚起を行うことができるという効果を奏する。
【図面の簡単な説明】
【０００９】
【図１】この発明の実施の形態１に係る安全装置が設けられた乗客コンベアの全体構成の概略を示す図である。
【図２】この発明の実施の形態１に係る安全装置が設けられた乗客コンベアの踏段の側面図である。
【図３】この発明の実施の形態１に係る乗客コンベアの安全装置の平常時における要部断面図である。
【図４】この発明の実施の形態１に係る乗客コンベアの安全装置の注意喚起時における要部断面図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図４は、この発明の実施の形態１に係るもので、図１は乗客コンベアの全体構成の概略を示す図、図２は踏段の側面図、図３は平常時における要部断面図、図４は注意喚起時における要部断面図である。なお、以下においては、乗客コンベアとしてエスカレータを例に挙げて説明する。
【００１２】
図１において、１は、設置された上下階間で利用者を運搬するエスカレータの基本的な枠組を構成するトラスからなるエスカレータ本体である。このエスカレータ本体１の内部では、乗客が搭乗する複数の踏段２が無端状に連結されて循環移動している。なお、これらの踏段２は、図示しない踏段チェーンによって互いに連結されている。そして、エスカレータ乗降口下方のエスカレータ本体１内の機械室内に設置された図示しない駆動モータの動力によって循環移動が駆動されている。
【００１３】
エスカレータ本体１の左右両側には欄干３が立設されており、この欄干３の外周には踏段２と同期して循環移動する無端状の移動手摺４が設けられている。
また、エスカレータ本体１における欄干３の下端部には、踏段２の左右両側に沿うようにして、この図１には図示しないスカートガード５が取り付けられている。
【００１４】
エスカレータ本体１内のスカートガード５の裏側には、センサ６、スピーカ７及び音声装置８が取り付けられている。これらのセンサ６、スピーカ７及び音声装置８は、乗客がスカートガード５に接近したことを検出し、注意を喚起するために用いられるものである。これらのセンサ６、スピーカ７及び音声装置８は、１つのエスカレータに対して１組設けるようにしてもよいし、複数組を所定の間隔だけ空けて設けるようにしてもよい。複数組設けた場合には、２組以上のセンサ６及びスピーカ７において、１つの音声装置８を共用するようにしてもよい。
【００１５】
図２に各踏段２の側面図を示す。踏段２の上面には、踏板２ａが取り付けられている。この踏板２ａの上面によって乗客が搭乗する踏面が形成されている。踏板２ａの両側縁、すなわち踏板２ａのスカートガード５に近接する部分、には、可動式の踏板側縁部９がそれぞれ設けられている。これらの踏板側縁部９は、棒状を呈する部材からなり、踏板２ａの側縁のほぼ全長に亘って設けられている。具体的には、まず、踏板２ａの両側縁には、この踏板側縁部９の形状に合わせて溝状の切欠部２ｂがそれぞれ設けられる。そして、これらの切欠部２ｂ内に踏板側縁部９がそれぞれ上下動可能に挿入されている。
【００１６】
踏板側縁部９は、踏板２ａ両側縁の切欠部２ｂ内において、バネ１０によって弾性的に支持されている。ここでは、バネ１０は、踏板側縁部９の略中央及び長手両端付近の計３つ用いられている。そして、平常の状態（踏板側縁部９の上面に何ら荷重がかかっていない状態）において、踏板側縁部９の上面が、踏板２ａの上面（踏面）よりも上方に突出した位置（以下「突出位置」という）になるように配置されている。
【００１７】
また、踏板側縁部９の下面には、突起体１１が下方に向けて突設されている。ここでは、この突起体１１は、踏板側縁部９を支持するバネ１０のうち、略中央のバネ１０の内側に挿通され、さらに、踏板２ａの下面に穿設された孔内に挿通されるように設けられている。この突起体１１の長さは、平常の状態、すなわち、踏板側縁部９の上面に荷重がかかっておらず踏板側縁部９が踏板２ａより上方に突出した突出位置にある状態において、この突起体１１の下端が踏板２ａの下面よりも下方に突出しないような長さに調整されている。そして、踏板側縁部９の上面に荷重がかかり踏板側縁部９が下方に押されると、踏板２ａの下面よりも下方に突起体１１が突出する。
【００１８】
スカートガード５に設けられたセンサ６は、踏板２ａの下面よりも下方に突出した突起体１１を検出するものである。このセンサ６による検出の様子を、図３及び図４を用いて説明する。図３は、以上のように構成された乗客コンベアの安全装置の平常時における状態を示すもので、図４は、その注意喚起時における状態を示すものである。センサ６は、例えば、光学式センサで構成されている。この光学式センサからは、検出対象物の検出に用いられる光線が、センサ６の前を通過する踏段２の踏板２ａの下面に沿うようにして射出されている。
【００１９】
前述したように、踏板側縁部９の上面に荷重がかかっていない平常の状態においては、バネ１０の弾性力によって踏板側縁部９は突出位置にあって踏板２ａの上面より上方に突出している。そして、この状態においては、突起体１１の下端は踏板２ａの下面よりも下方に突出していない。従って、センサ６から射出された光線６ａは突起体１１に反射されることがなく、センサ６は不作動状態のままである（図３）。
【００２０】
そして、例えば乗客の靴１２がスカートガード５に接近して踏板側縁部９の上面に載ると、踏板側縁部９の上面に荷重がかかり踏板側縁部９が下方に押される。踏板側縁部９が下方に押されると、踏板２ａの下面よりも下方に突起体１１が突出する。この踏板２ａの下面よりも下方に突起体１１が突出した状態の踏段２が、センサ６の前（センサ６の検出範囲）を通過すると、センサ６からの光線６ａは、この突出した突起体１１により反射される。そして、センサ６はこの突出した突起体１１により反射された光を検出する。
【００２１】
突起体１１により反射された光を検出したセンサ６は作動状態となり、検出信号を音声装置８へと出力する。この検出信号を受けた音声装置８は、スピーカ７から所定の注意喚起音声１３を発報させることにより、踏段２上の乗客に対して注意を喚起する（図４）。この注意喚起音声１３は、例えば、「ステップの中央にお乗り下さい。」というようなメッセージでもよいし、単なるブザー音のような警告音としてもよい。
【００２２】
なお、突起体１１に特定の波長の光を反射する塗料を塗布し、センサ６はこの特定の波長の光を検出した場合に、検出信号を出力するようにしてもよい。このようにすることにより、突起体１１以外のものから反射光によるセンサ６の誤検出を防止することができる。
【００２３】
また、ここでは、乗客がスカートガード５に接近したことを検出した場合に、音声によって当該乗客へと注意を喚起するようにしたが、これを乗客に対して視覚的に訴える手段によって注意喚起するようにしてもよい。すなわち、例えば、スカートガード５にスピーカ７に代えて、又は、スピーカ７とともに、発光ダイオード（ＬＥＤ）等の発光手段からなる警告ランプが設けるようにしてもよい。そして、乗客がスカートガード５に接近したことを検出した場合に、この警告ランプを発光させることにより踏段２上の乗客に対して注意を喚起することができる。
【００２４】
さらにまた、踏板側縁部９は踏段２のサイドデマケーション部材を兼ねるようにしてもよい。
【００２５】
以上のように構成された乗客コンベアの安全装置は、踏段の踏面を形成する踏板の、スカートガード近傍の側縁に、平常時に踏面より上方に突出した突出位置に配置され、かつ、上下動可能に設けられた踏板側縁部と、踏板側縁部が突出位置より下方に移動したことを検出して検出信号を出力する検出手段であるセンサと、この検出手段から出力される検出信号を受けて、踏段上の乗客に対して注意を喚起する注意喚起手段である音声装置及びスピーカと、を備えている。そして、このため、乗客が踏段の側縁部上に乗り込みスカートガードに接近した場合に効果的な注意喚起を行うことができる。
【００２６】
また、検出手段であるセンサを、スカートガード側に設け、このセンサの検出範囲を通過する踏段の踏板側縁部が突出位置より下方に移動したことを検出するようにすることで、複数ある踏段の全てにセンサを設けることなく、踏段の全てにおいて乗客が踏段の側縁部上に乗り込みスカートガードに接近したことを検出することができ、装置全体の構成を簡潔にし、製造費用等を低減することが可能である。
【００２７】
さらに、注意喚起手段にスカートガードに設けられたスピーカや警告ランプを用いることにより、踏段の側縁部上に乗り込みスカートガードに接近した乗客に対してより効果的な注意喚起を行うことができる。
【符号の説明】
【００２８】
１    エスカレータ本体
２    踏段
２ａ  踏板
２ｂ  切欠部
３    欄干
４    移動手摺
５    スカートガード
６    センサ
６ａ  光線
７    スピーカ
８    音声装置
９    踏板側縁部
１０    バネ
１１    突起体
１２    乗客の靴
１３    注意喚起音声
【図１】
2012144305.tif 000003
【図２】
2012144305.tif 000004
【図３】
2012144305.tif 000005
【図４】
2012144305.tif 000006